(57)【要約】      （修正有）【課題】様々な体外測定に使用され、各種の生理パラメータを測定することができる検査測定装置を提供する。【解決手段】感知試験片又はメモリーカードを差し込むことができるスロットと、スロットと電気的に接続される信号感知ユニットと識別ユニットと、識別ユニットが提供する識別情報を処理する制御ユニットと、制御ユニットの制御を受け、測定した種類及び／又は結果を表示することができる指示ユニットと、測定の結果を表示することができる表示ユニットとを含む。【選択図】図１
0003159947.tif 000002
【実用新案登録請求の範囲】
【請求項１】
感知試験片又はメモリカードを差し込むことができるスロットと、
前記スロットと電気的に接続され、反応信号を取り込む機能を具える信号感知ユニットと、
前記スロットと電気的に接続され、スロットに挿しこまれた感知試験片又はメモリカードの種類を識別することができる識別ユニットと、
前記識別ユニットが提供する識別情報を処理することで、対応する測定及び計算作業を行い、又、指示ユニットによる対応する指示動作を制御する制御ユニットと、
前記制御ユニットの制御を受け取り、前記制御ユニットはそれにより指示信号を発し、前記感知試験片又は前記メモリカードが測定した種類及び／又は結果を表示することができる指示ユニットと、
測定の結果を表示することができ、動態又は静態の音声及び／又は映像等のマルチメディア情報を示すことで異なる感知試験片又はメモリカードの測定結果を表すことができる表示ユニットとを含み、
様々な体外測定に使用され、各種生理パラメータを測定できることを特徴とする、検査測定装置。
【請求項２】
感知試験片又はメモリカードを差し込むことができるスロットと、
前記感知試験片又は前記メモリカードに対して測定を行う時の信号感知を実行する信号感知ユニットと、
前記スロット内に差し込まれた感知試験片又はメモリカードが提供する測定種類を識別する情報を具える識別ユニットと、
前記信号感知ユニットからの測定信号を受信し処理して測定結果を獲得し、更に、前記識別ユニットが提供する識別結果を受け取り、その結果に基づいて指示ユニットに対して制御を行う制御ユニットと、
前記制御ユニットにより制御され、前記制御ユニットはそれを通じて指示信号を発することで、前記感知試験片又は前記メモリカードが測定した種類及び／又は結果を表示することができるようになる指示ユニットと、
測定の結果を表示することができ、動態又は静態の音声及び／又は映像等のマルチメディア情報を示すことで異なる感知試験片又はメモリカードの測定結果を表すことができる表示ユニットとを含み、
様々な体外測定に使用され、各種生理パラメータを測定できることを特徴とする、検査測定装置。
【請求項３】
前記指示信号は、ライト及び／又は音声及び／又は映像の信号であることを特徴とする、請求項１又は請求項２に記載の検査測定装置。
【請求項４】
前記感知試験片上の識別指示物が形成するのは電気的及び／又は機械的及び／又は光学的であることを特徴とする、請求項３に記載の検査測定装置。
【請求項５】
前記指示ユニットは、異なるライト信号の色によって異なる感知試験片又はメモリカードの測定種類を表すことを特徴とする、請求項１又は請求項２に記載の検査測定装置。
【請求項６】
前記指示ユニットは、外観の印刷を併せることで異なるライト信号の位置により異なる感知試験片又はメモリカードの測定結果を表すことを特徴とする、請求項１又は請求項２に記載の検査測定装置。
【請求項７】
前記指示ユニットは、外観の印刷を併せることで異なるライト信号の点滅頻度により異なる感知試験片又はメモリカードの測定結果を表すことを特徴とする、請求項１又は請求項２に記載の検査測定装置。
【請求項８】
前記指示ユニットは、異なる効果音又は音楽により異なる感知試験片又はメモリカードの測定結果を表すことを特徴とする、請求項１又は請求項２に記載の検査測定装置。
【請求項９】
前記指示ユニットは、異なるメッセージの内容により異なる感知試験片又はメモリカードの測定結果を表すことを特徴とする、請求項１又は請求項２に記載の検査測定装置。
【請求項１０】
前記表示ユニットはＬＣＤモニターであることを特徴とする、請求項１又は請求項２に記載の検査測定装置。
【請求項１１】
前記表示ユニットはＯＬＥＤモニターであることを特徴とする、請求項１又は請求項２に記載の検査測定装置。
【考案の詳細な説明】
【技術分野】
【０００１】
本考案は検査測定装置に関し、更に詳しくは、複数の検査測定機能を具え、現在行われている測定対象の種類を指示することができ、対応する測定対象に基づいて、ライト及び／又は音声といった方法を用いて、現在測定している測定対象を表示させることができ、これにより、単一の検査測定機器が各種の測定対象に対応する際の識別問題を解決することができる、各種生理パラメータを測定でき様々な体外測定に使用される新型の検査測定装置に関する。
【背景技術】
【０００２】
昨今の従来技術が使用される体外検査測定機器は、設計上、複合機能をもつタイプへとだんだん移行しており、複数の測定機能を一つの機器に結合させ、異なる測定試験片を使用して異なる測定対象に対して測定を行うことができるようになってきている。
【０００３】
しかしながら、この種の設計方法に関する単一の検査測定機器が各種の測定対象に対応する際の識別問題は、使用する検査測定機器が一つ以上の測定機能を具えることが原因での測定時の使用者の混乱がたびたび発生し、不正確な測定試験片を採用することで間違った判読測定結果が生じてしまう。
【０００４】
台湾特許第Ｉ２５３５０２号の「生物検査測定機器のナノトランジスタ構造と製造プロセス」においては、補償用ナノトランジスタ構造を製作する方法について開示されている。
【０００５】
又、台湾実用新案第Ｍ２９１５２５号の「使い捨て可能な生物検査測定機器」には、被測定物を垂らして入れる方法が採用され、反応酵素領域を用いて測定することができる使い捨て可能な検査測定機器について開示されている。
【０００６】
また、台湾特許第Ｉ２７９２２２号の「多機能の携帯可能な医療検査測定装置及び表示方法」においては、キーユニットの操作によって第一測定値及び第二測定値の内の一つを選択し出力する方法が開示されている。使用者は第一医療測定ユニット及び第二医療測定ユニットを操作することで第一及び第二測定値を出力することができるが、前記医療測定ユニットは、例えば血糖測定器、血圧測定器、コレステロール測定器、尿酸測定器等のようにいずれも一定の体積を占め、且つ操作過程は煩雑で一般の検査測定機器には適していない。
【０００７】
また、台湾特許第００３９４７７６号の「新規のＥＢウィルス核抗原−１蛋白質の断片とそのＤＮＡ配列及び用途、並びにＥＢウィルス核抗原−１蛋白質又はその断片の新規な製造方法」においては、ＥＢウィルス（Ｅｐｓｔｅｉｎ−Ｂａｒｒ  Ｖｉｒｕｓ、略称ＥＢＶ）核抗原−１（Ｎｕｃｌｅａｒ  Ａｎｔｉｇｅｎ−ｌ）蛋白質の断片とそのＤＮＡコード配列が開示されており、それは、前記新規な断片の検査試薬及びＥＢウィルス核抗原−１蛋白質又はその断片の新規な生成方法、発現ベクター及び宿主細胞、並びに前記蛋白質やその断片を純化する方法を含むが、一般の検査測定機器との関連性は大きくない。
【０００８】
従って、各種生理パラメータを測定でき複数の検査測定機能を具えるが、現在行われている測定対象の種類を指示することができ且つ対応する測定対象に基づき現在測定している測定対象を表示することもでき、これにより、単一の検査測定機器が各種の測定対象に対応する際の識別問題を解決し、使用者が検査測定装置を使用する時、使用する検査測定装置が一つ以上の測定機能を具えることによる測定時の混乱が起こらなくなり、不正確な測定試験片の採用による間違った判読測定結果も発生しなくなる検査測定機器をいかに考案するかは、依然として解決が待たれる問題である。
【先行技術文献】
【特許文献】
【０００９】
【特許文献１】台湾特許第Ｉ２５３５０２号明細書
【特許文献２】台湾実用新案第Ｍ２９１５２５号明細書
【特許文献３】台湾特許第Ｉ２７９２２２号明細書
【特許文献４】台湾特許第００３９４７７６号明細書
【考案の概要】
【考案が解決しようとする課題】
【００１０】
本考案の主な目的は、様々な体外測定に使用され、各種生理パラメータを測定することができる、新型の検査測定装置を提供することにある。前記検査測定装置は、複数の検査測定機能を具え、現在行っている測定対象の種類を指示することができ、対応する測定対象に基づき、ライト及び／又は音声及び／又は映像及び／又は文字のメッセージといった方法を用いて、現在測定している測定対象を表示させることができる。
【００１１】
本考案のもう一つの目的は、様々な体外測定に使用され、各種生理パラメータを測定することができ、単一の検査測定機器が各種の測定対象に対応する際の識別問題を解決することができる検査測定装置を提供することにある。
【００１２】
本考案のもう一つの目的は、様々な体外測定に使用され、各種生理パラメータを測定することができ、使用者が本考案の検査測定装置を使用する時、使用する検査測定装置が一つ以上の測定機能を具えることによる測定時の混乱が起こらなくなり、測定試験片の採用による間違った判読測定結果も発生しなくなる検査測定装置を提供することにある。
【課題を解決するための手段】
【００１３】
以上の目的に基づき、本考案が提供する新規性を有する検査測定装置は、様々な体外測定に使用され、各種生理パラメータを測定することができる。前記検査測定装置は、複数の検査測定機能を具え、現在行っている測定対象の種類を指示することができ、対応する対象に基づいて、ライト及び／又は音声及び／又は映像及び／又は文字のメッセージといった方法を用いて、現在測定している測定対象を表示することができる。
【００１４】
本考案の検査測定装置は、スロット、信号感知ユニット、識別ユニット、制御ユニット、指示ユニット及び表示ユニットを含む。その内、前記スロットは、感知試験片又はメモリカードを差し込むことができ、又、前記信号感知ユニットと、同時に又は別々に接触・接続することができる。信号感知ユニットは、感知試験片又はメモリカードに対して測定を行う時の信号感知を実行する。識別ユニットは、スロット内に差し込まれた感知試験片又はメモリカードが提供する測定種類を識別する情報を具え、その識別方法は、感知試験片上の識別記号を利用する方法や、或いはメモリカード内の識別データを直接読み取る方法にすることができる。制御ユニットは、信号感知ユニットからの測定信号を受信し処理して測定結果を獲得し、更に、識別ユニットが提供する識別結果を受け取り、その結果に基づいて指示ユニットを制御する。指示ユニットは、制御ユニットにより制御され、指示信号を発し、使用者が現在行っている測定対象の種類及び／又は結果を提示することができる。ここでは、指示信号は、例えばライト及び／又は音声及び／又は映像及び／又は文字のメッセージであり、現在測定している測定対象の種類及び／又は結果を表示する。
【００１５】
本考案の指示ユニットは、ライト及び／又は音声及び／又は映像及び／又は文字のメッセージを表示・出力することができるモジュール及び／又はパーツ及び／又はユニット及び／又は裝置であり、実際の実施状況に応じて、ライト及び／又は音声及び／又は図形及び／又は文字のメッセージを動態及び／又は静態表示・出力することができる。
【００１６】
当該技術分野を熟知する者に本考案の目的、特徴及び効果を理解させるために、以下に具体的な実施例と図を用いて、本考案に対する詳細な説明を行う。
【考案の効果】
【００１７】
本考案に係る検査測定装置は、様々な体外測定に使用され、各種生理パラメータを測定することができる。
【図面の簡単な説明】
【００１８】
【図１】本考案の検査測定装置の構造を説明するための概略図である。
【図２】本考案の検査測定装置の表示ユニットが表示した映像内容を説明した立体図である。
【図３】本考案の検査測定装置の指示ユニットが表示するライト信号の内容を説明した概略図である。
【図４】本考案の検査測定装置の指示ユニットが出力する音声内容を説明した概略図である。
【考案を実施するための形態】
【００１９】
〔実施例〕
図１は、本考案の検査測定装置の構造を説明するための概略図である。図１に示すように、本考案の検査測定装置１は、主に、スロット２、信号感知ユニット３、識別ユニット４、制御ユニット５、指示ユニット６、及び表示ユニット７を含む。
【００２０】
前記スロット２は、感知試験片又はメモリカードを差し込むことができ、前記信号感知ユニット３及び／又は識別ユニット４と、同時に又は別々に接触、接続させることができる。
【００２１】
前記信号感知ユニット３は、スロット２と電気的に接続され、反応信号を取り込む機能を具える。前記信号感知ユニット３は、感知試験片やメモリカードに対して測定が行われる時の信号感知を実行し、信号感知後の結果を制御ユニット５に伝送する。
【００２２】
前記識別ユニット４は、スロット２と電気的に接続され、スロット２に挿しこまれた感知試験片やメモリカードの種類を識別することができる。前記識別ユニット４は、スロット２内に挿しこまれた感知試験片やメモリカードが提供する測定種類を識別する情報を具える。その識別方法は、感知試験片上の識別記号を利用する方法や、或いはメモリカード内の識別データを直接読み取る方法にすることができる。例えばここでは、識別ユニット４の識別は、感知試験片上の識別指示物が形成するロジックの変化を利用することで達成し、感知試験片上の識別指示物が形成するロジックの変化は、例えば電気的、機械的、光学的にすることができる。或いは、識別ユニット４の識別は、識別情報を校正カードに保存する方法を用いて達成する。又、識別ユニット４は、測定結果を制御ユニット５へ伝送する。
【００２３】
前記制御ユニット５は、前記識別ユニット４が提供する識別情報を処理することで、対応する測定と計算作業を行い、指示ユニット６による対応する指示動作を制御する。前記制御ユニット５は、信号感知ユニット３からの測定信号を受信し処理して測定結果を獲得し、又、識別ユニット４から提供される識別結果を受信して、その結果に基づいて指示ユニット６に対して制御を行う。
【００２４】
前記指示ユニット６は、制御ユニット５の制御を受け取り、識別情報に対応して、ライト及び／又は音声及び／又は映像により、検査測定装置１が行う感知試験片又はメモリカードの測定の種類を指示する。制御ユニット５は、指示ユニット６を制御し、指示ユニット６が発した指示信号により使用者が現在行っている測定対象の種類及び／又は結果を提示することができる。ここでは、指示信号は、例えばライト及び／又は音声及び／又は映像といった信号であり、現在測定している測定対象の種類及び／又は結果を表示する。その主な用途は、識別ユニット４の識別結果に基づいて指示使用者が現在行っている測定の種類を指示することであり、又、記録値を告げる時に、前記記録値がどの種類の測定結果なのかを指示することもできる。
【００２５】
その内、指示ユニット６は、ライト及び／又は音声及び／又は映像信号を表示・出力できるモジュール及び／又はパーツ及び／又はユニット及び／又は裝置であり、実際の実施状況に応じて、ライト及び／又は音声及び／又は映像及び／又は文字のメッセージを、動態及び／又は静態表示させることができる。例えばここでは、指示ユニット６は、異なるライト信号の色によって異なる感知試験片又はメモリカードの測定種類を表す。又は、指示ユニット６は、外観の印刷を併せることで、異なるライト信号の位置によって異なる感知試験片又はメモリカードの測定結果を表す。又は、指示ユニット６は、外観の印刷を併せることで、異なるライト信号の点滅頻度によって異なる感知試験片又はメモリカードの測定結果を表す。又は、指示ユニット６は、異なる効果音又は音楽によって異なる感知試験片又はメモリカードの測定結果を表す。又は、指示ユニット６は、異なるメッセージの内容により異なる感知試験片又はメモリカードの測定結果を表す。
【００２６】
前記表示ユニット７は、測定の結果を表示することができ、動態又は静態の音声及び／又は映像等のマルチメディア情報を出力・表示することにより、異なる感知試験片又はメモリカードの測定結果を表すことができる。前記表示ユニット７は、ＬＣＤパネル又はＯＬＥＤパネルにすることができる。
【００２７】
図２は、本考案の検査測定装置の表示ユニットが表示した映像内容を説明した立体図である。図２に示すように、前記検査測定装置１は、表示ユニット７と表示ユニット７内の指示ユニット６を含む。前記指示ユニット６は、映像及び／又は文字のメッセージを表示できるモジュール及び／又はパーツ及び／又はユニット及び／又は裝置である。ここでは、表示ユニット７のモニターは、ＬＣＤパネル又はＯＬＥＤパネルにすることができ、マルチメディア情報を動態又は静態表示し、検査測定装置１が現在測定している測定対象の種類及び／又は結果を表示することができる。
【００２８】
図３は、本考案の検査測定装置の指示ユニットが表示するライト信号の内容を説明した概略図である。図３に示すように、ここでは、指示ユニット６はライト信号であり、例えば、指示ユニット６は異なるライト信号の色によって異なる感知試験片又はメモリカードの測定種類を表し、及び／又は、指示ユニット６は外観の印刷を併せることで異なるライト信号の位置によって異なる感知試験片又はメモリカードの測定結果を表し、及び／又は、指示ユニット６は外観の印刷を併せることで異なるライト信号の点滅頻度によって異なる感知試験片又はメモリカードの測定結果を表し、ライト情報を動態及び／又は静態で表示することができる。又、前記情報は、使用者が現在行っている測定対象の種類及び／又は結果に関連・対応しており、検査測定装置１が現在測定している測定対象の種類及び／又は結果を表示させることができる。
【００２９】
図４は、本考案の検査測定装置の指示ユニットが出力する音声内容を説明した概略図である。図４に示すように、ここでは、指示ユニット６は発声ユニット、例えば、スピーカー、発声器、発声回路であり、音声情報を動態及び／又は静態出力することができる。又、前記情報は、使用者が現在行っている測定対象の種類及び／又は結果に関連・対応しており、検査測定装置１が現在測定している測定対象の種類及び／又は結果を表示させることができる。ここでは、前記音声情報は、例えば、音声又は音楽形式であり、使用者にその生理状態を知らせることができる。
【００３０】
以上の実施例をまとめると、本考案の新型の検査測定装置は、様々な体外測定に使用され、複数の検査測定機能を具えると共に現在行っている測定対象の種類を指示することができ、対応する測定対象に基づいてライト及び／又は音声といった方法で現在測定している測定対象を表示することができる。従って、単一の検査測定機器が各種の測定対象に対応する際の識別問題を解決することができる。使用者が本考案の検査測定装置を使用する時、使用する検査測定装置が一つ以上の測定機能を具えることによる測定時の混乱が起こらなくなり、測定試験片の採用による間違った判読測定結果も発生しなくなる。本考案の検査測定装置は以下の利点を含む：
１．様々な体外測定に使用され、前記検査測定装置は複数の検査測定機能を具えて現在行っている測定対象の種類を指示することができ、対応する測定対象に基づいてライト及び／又は音声及び／又は映像等のマルチメディアの方法により現在測定している測定対象を表示することができる。
２．単一の検査測定機器が各種の測定対象に対応する際の識別問題を解決することができ、使用者が本考案の検査測定装置を使用する時、使用する検査測定装置が一つ以上の測定機能を具えることによる測定時の混乱が起こらなくなり、測定試験片の採用による間違った判読測定結果も発生しなくなる。
【００３１】
上記内容は本考案の好ましい実施例に過ぎず、本考案の実施の範囲を限定するものではないため、本考案の登録請求の範囲に基づいた各種の同様の効果をもつ改良又は変更は、何れも本考案の保護の範囲とする。
【符号の説明】
【００３２】
１    検査測定装置
２    スロット
３    信号感知ユニット
４    識別ユニット
５    制御ユニット
６    指示ユニット
７    表示ユニット
【図１】
0003159947.tif 000003
【図２】
0003159947.tif 000004
【図３】
0003159947.tif 000005
【図４】
0003159947.tif 000006
【手続補正書】
【提出日】平成22年3月24日(2010.3.24)
【手続補正１】
【補正対象書類名】実用新案登録請求の範囲
【補正対象項目名】請求項１
【補正方法】変更
【補正の内容】
【請求項１】
感知試験片又はメモリーカードを差し込むことができるスロットと、
前記スロットと電気的に接続され、反応信号を取り組む機能を具える信号感知ユニットと、前記スロットと電気的に接続され、スロットに挿し込まれた感知試験片又はメモリーカードの種類を識別することができる識別ユニットと、
前記識別ユニットが提供する識別情報を処理することで、対応する測定及び計算作業を行い、又、指示ユニットによる対応する指示動作を制御する制御ユニットと、
前記制御ユニットの制御を受け取り、前記制御ユニットはそれにより指示信号を発し、前記感知試験片又は前記メモリーカードが測定した種類及び／又は結果を表示することができる指示ユニットと、
測定の結果を表示することができ、動態又は静態の音声及び／又は映像のマルチメディア情報を示すことで異なる感知試験片又はメモリーカードの測定結果を表すことができる表示ユニットとを含み、
様々な体外測定に使用され、各種生理パラメータを測定できることを特徴とする、検査測定装置。
【手続補正２】
【補正対象書類名】実用新案登録請求の範囲
【補正対象項目名】請求項２
【補正方法】変更
【補正の内容】
【請求項２】
感知試験片又はメモリーカードを差し込むことができるスロットと、
前記感知試験片又は前記メモリーカードに対して測定を行う時の信号感知を実行する信号感知ユニットと、
前記スロット内に差し込まれた感知試験片又はメモリーカードが提供する測定種類を識別する情報を具える識別ユニットと、
前記信号感知ユニットからの測定信号を受信し処理して測定結果を獲得し、更に、前記識別ユニットが提供する識別結果を受け取り、その結果に基づいて指示ユニットに対して制御を行う制御ユニットと、
前記制御ユニットにより制御され、前記制御ユニットはそれを通じて指示信号を発することで、前記感知試験片又は前記メモリーカードが測定した種類及び／又は結果を表示することができるようになる指示ユニットと、
測定の結果を表示することができ、動態又は静態の音声及び／又は映像のマルチメディア情報を示すことで異なる感知試験片又はメモリーカードの測定結果を表すことができる表示ユニットとを含み、
様々な体外測定に使用され、各種生理パラメータを測定できることを特徴とする、検査測定装置。